(57)【要約】【課題】よく汗をかく首筋に触れる、襟付きシャツの襟に装着できる、外観上違和感を与えないハンカチを得ること。【解決手段】ハンカチを横長に順次折りたたむことでできる長方形の、短辺の２辺が襟先の形状になるように、ハンカチの対面する２辺を、左右対称形の山形、谷形に成形したことを特徴とする。【選択図】図１
2004137648.tif 000002
【特許請求の範囲】
【請求項１】
ハンカチを横長に順次折りたたむことによってできる長方形の、短辺の２辺が襟先（４）の形状になるように、ハンカチ布（１）の対面する２辺（２）を、左右対称形の山形、谷形（３）に成形したことを特徴とするハンカチ兼付け襟。
【請求項２】
前記記載の２辺（２）の左右対称形となる山形、谷形（３）を、他の別布で縫合、又は接着した複合布で構成された請求項１記載のハンカチ兼付け襟。
【請求項３】
請求項１記載のハンカチ布（１）の対面する２辺（２）を、谷形に成形するため、ハンカチ布（１）の対面する２辺（２）の中央に切り込み（１０）を入れた請求項１及び２項のハンカチ兼付け襟。
【請求項４】
請求項１記載の襟先（４）となる部分に、ボタン穴（１１）、又は飾りボタンを取り付けた請求項１，２及び３項のハンカチ兼付け襟。
【請求項５】
請求項１記載の襟先（４）となる部分に、ポケット（１３）を取り付けた請求項１，２及び３項のハンカチ兼付け襟。
【発明の詳細な説明】
【０００１】
【発明の属する技術分野】
この発明は折りたたむことで襟の形状になり、襟に装着できるハンカチに関するものである。
【０００２】
【従来の技術】
従来、ハンカチは四角形の正方形で、折りたたんで携帯し、手や顔を拭いたり、汗を拭いたりするだけに使用されるものであった。
【０００３】
よく汗をかく首筋も、その都度ハンカチを取り出して汗を拭いていたが、出し入れが面倒で、首筋に接する襟にハンカチをはさみ込んだまま汗取りをしていた。
【０００４】
しかし、これでは外見上ハンカチであることが明白であり、人前では見苦しく、いわゆるファッション性に欠けるという問題があった。
【０００５】
【発明が解決しようとする課題】
本発明は、このような問題に鑑み、襟に装着しても違和感なくデザインされたハンカチを提供するものである。
【０００６】
【課題を解決するための手段】
ハンカチ布（１）の対面する２辺（２）を、左右対称形となる山形、谷形（３）に成形して多角形のハンカチとする。これを横長に順次折りたたむことでできる長方形の短辺の２辺が襟先（４）の形状となり、襟付きシャツの襟にはさみ込んでも、違和感を与えることのないハンカチとなる。
【０００７】
【発明の実施の形態】
発明の実施の形態を実施例に基づき図面を参照して説明する。
【０００８】
図１，３，５及び７は、本発明の第１の実施例を示すハンカチの平面図である。ハンカチ布（１）の対面する２辺（２）を、襟先（４）の形状となる左右対称形の山形、谷形（３）に成形した多角形のハンカチの例である。
【０００９】
図２，４，６及び８は使用行程を示す図であり、この多角形のハンカチを横に８等分し、（ａ−１）、（ａ−２）に示す横長に折りたたみライン（５）で折りたたむことにより、（ａ−３）に示す１／８等分が襟形状となり、この短辺の２辺が襟先（４）の形状となる。これを（ａ−４）に示すように折り曲げて、（ａ−５）に示す襟付きシャツ（６）の襟に装着する。
【００１０】
このハンカチ布（１）の大きさは、図１〜図８中にある横幅Ｌ１の寸法を首廻りの長さとし、等分の縦巾Ｌ２の寸法を襟の高さとする。
【００１１】
尚、前記図中では８等分の折りたたみとしているが、襟に装着する事を目的としているので、２つ折り以上であればよく、図１，３，５及び７にあるハンカチの総縦巾Ｌ３は、折りたたみ回数により決める。
【００１２】
図９は、本発明の第２の実施例を示すハンカチの平面図である。　多角形のハンカチの形状は、第１の実施例と同一であるが、山形、谷形となる部分を、他の別布（８）、（９）で縫合（７）、又は接着した複合布で構成した例である。
【００１３】
図１０は、本発明の第３の実施例を示すハンカチの平面図である。　第１の実施例図３に示す対面する２辺（２）を谷形に成形するためのハンカチ布（１）の例である。
【００１４】
図１１は、使用行程を示す図であり、ハンカチ布（１）の対面する２辺（２）の中央に切り込み（１０）を入れ、切り込み底とハンカチの角を結んだ線で折りたたむことで、第１の実施例図３と同じ左右対称形となる谷形（３）になる。
【００１５】
図１２は、本発明の第４の実施例を示すハンカチの平面図である。　第１の実施例と形状は同一とするが、ハンカチ布（１）の襟先（４）となる部分にボタン穴（１１）、又は図示しないが飾りボタンを取り付ける。
【００１６】
図１３は使用行程を示す図であり、（ａ−５）に示すように襟付きシャツ（６）の襟についているボタンダウンのボタンを留めつける。
【００１７】
図１４は、本発明の第５の実施例を示すハンカチの平面図である。　第１の実施例と形状は同一とするが、ハンカチ布（１）の襟先（４）となる部分に、三角片の布（１２）を重ねて、２辺をＶ字形に縫合しポケット（１３）を設ける。
【００１８】
図１５は使用行程を示す図であり、（ａ−５）に示すように襟付きシャツ（６）の襟先（１４）をポケット（１３）に収納する。
【００１９】
【発明の効果】
本発明は、上記のとおり構成されており、これを使用することによって、次に記載する効果がある。
【００２０】
よごれの首輪の元となる襟汗取りや、糊のきいたワイシャツの襟ずれ防止のために装着するが、外観的に襟形状であるため違和感がない。
【００２１】
本来、ハンカチであるので、色や柄もファッション性のあるものでできるので数枚持っていると、１着の襟付きシャツで幾通りもの襟色、襟柄ができ、形状についても、ボタンダウンシャツの襟に変化させることもできるし、襟なしのスタンドカラーシャツにも装着することができる。
【００２２】
又、図９に示すような他の別布を組み合わせることにより、肌に触れる部分を吸水性のある布で、シャツの襟に当たる部分は撥水性のある布で分ければ、シャツの襟よごれもだいぶ緩和することができる。
【００２３】
その他、通常４つ折りにたたんで携帯するが、折りたたんだ一辺に襟先を揃えて、胸ポケットに入れると胸チーフにもなる。
【図面の簡単な説明】
【図１】本発明の第１の実施例を示すハンカチの平面例１
【図２】（ａ−１）、（ａ−２）、（ａ−３）、（ａ−４）折りたたみを示す図
（ａ−５）装着を示す図
【図３】本発明の第１の実施例を示すハンカチの平面例２
【図４】（ａ−１）、（ａ−２）、（ａ−３）、（ａ−４）折りたたみを示す図
（ａ−５）装着を示す図
【図５】本発明の第１の実施例を示すハンカチの平面例３
【図６】（ａ−１）、（ａ−２）、（ａ−３）、（ａ−４）折りたたみを示す図
（ａ−５）装着を示す図
【図７】本発明の第１の実施例を示すハンカチの平面例４
【図８】（ａ−１）、（ａ−２）、（ａ−３）、（ａ−４）折りたたみを示す図
（ａ−５）装着を示す図
【図９】（ｂ−１）、（ｂ−２）、（ｂ−３）、（ｂ−４），（ｂ−５）、（ｂ−６）、（ｂ−７）本発明の第２の実施例を示すハンカチの平面例
【図１０】本発明の第３の実施例を示すハンカチの平面例
【図１１】折りたたみを示す図
【図１２】本発明の第４の実施例を示すハンカチの平面例
【図１３】（ａ−４）折りたたみを示す図
（ａ−５）装着を示す図
【図１４】本発明の第５の実施例を示すハンカチの平面例
【図１５】（ａ−４）折りたたみを示す図
（ａ−５）装着を示す図
【図１６】
（ｃ），（ｄ），（ｅ）、（ｆ）、（ｇ）、（ｈ）、（ｉ），（ｊ）本発明を応用したその他のハンカチの平面例
【符号の説明】
１　　ハンカチ布
２　　対面する２辺
３　　左右対称形となる山形、谷形
４　　襟先
５　　折りたたみライン
６　　襟付きシャツ
７　　縫合部
８　　他の別布Ａ
９　　他の別布Ｂ
１０　切り込み
１１　ボタン穴
１２　三角片の布
１３　ポケット
１４　襟付きシャツの襟先
【図１】
2004137648.tif 000003
【図２】
2004137648.tif 000004
【図３】
2004137648.tif 000005
【図４】
2004137648.tif 000006
【図５】
2004137648.tif 000007
【図６】
2004137648.tif 000008
【図７】
2004137648.tif 000009
【図８】
2004137648.tif 000010
【図９】
2004137648.tif 000011
【図１０】
2004137648.tif 000012
【図１１】
2004137648.tif 000013
【図１２】
2004137648.tif 000014
【図１３】
2004137648.tif 000015
【図１４】
2004137648.tif 000016
【図１５】
2004137648.tif 000017
【図１６】
2004137648.tif 000018